(57)【特許請求の範囲】
【請求項１】
基油、
（Ａ）金属系清浄剤、および、潤滑油組成物全量基準で
（Ｂ）抗乳化剤０．０２〜５．０質量％
を含有し、
前記（Ｂ）成分が１種以上のポリエーテル化合物であり、
塩基価が１５〜１２５ｍｇＫＯＨ／ｇであり、
１００℃における動粘度が１０〜３０ｍｍ２／ｓである、スクラバー搭載クロスヘッド型ディーゼル機関用シリンダ潤滑油組成物。
【請求項２】
前記（Ｂ）成分の数平均分子量が５００以上である、請求項１に記載のスクラバー搭載クロスヘッド型ディーゼル機関用シリンダ潤滑油組成物。
【請求項３】
基油、
（Ａ）金属系清浄剤、および、潤滑油組成物全量基準で
（Ｂ）ＨＬＢ値が１３〜２０である抗乳化剤０．０２〜５．０質量％
を含有し、
塩基価が１５〜１２５ｍｇＫＯＨ／ｇであり、
１００℃における動粘度が１０〜３０ｍｍ２／ｓである、スクラバー搭載クロスヘッド型ディーゼル機関用シリンダ潤滑油組成物。
【請求項４】
さらに（Ｃ）窒素含有無灰分散剤を含有する、請求項１〜３のいずれかに記載のスクラバー搭載クロスヘッド型ディーゼル機関用シリンダ潤滑油組成物。
【請求項５】
（Ｃ）窒素含有無灰分散剤を、潤滑油組成物全量基準で、窒素分として０．２質量％以下含有するか、又は含有しない、請求項１〜３のいずれかに記載のスクラバー搭載クロスヘッド型ディーゼル機関用シリンダ潤滑油組成物。
【請求項６】
前記（Ａ）金属系清浄剤がＣａフェネートである、請求項１〜５のいずれかに記載のスクラバー搭載クロスヘッド型ディーゼル機関用シリンダ潤滑油組成物。
【請求項７】
請求項１〜６のいずれかに記載の潤滑油組成物を、スクラバーを備えるクロスヘッド型ディーゼル機関のシリンダに供給しながら、前記クロスヘッド型ディーゼル機関を運転する工程、および、
前記シリンダから排出されたガスの少なくとも一部を、前記スクラバーにおいて浄化する工程
を有する、スクラバー搭載クロスヘッド型ディーゼル機関のシリンダ潤滑方法。
【請求項８】
前記スクラバーにおける前記浄化は、前記スクラバーに導入されたガスを水および／または塩基性水溶液に接触させる工程を含む、
請求項７に記載のスクラバー搭載クロスヘッド型ディーゼル機関のシリンダ潤滑方法。
【発明の詳細な説明】
【技術分野】
【０００１】
本発明は、クロスヘッド型ディーゼル機関用シリンダ潤滑油組成物に関し、特にスクラバーを備えるクロスヘッド型ディーゼル機関において好ましく用いることのできるシリンダ潤滑油組成物に関する。
【背景技術】
【０００２】
クロスヘッド型ディーゼル機関は、大型船舶の主機用途に多数採用されている。したがって船舶の運航が環境に与える影響において、クロスヘッド型ディーゼル機関の排出物質に由来する部分は大きいといえる。
【０００３】
環境問題に関するは国際的に高まっており、船舶から大気中に放出される排気ガスに含まれる窒素酸化物（ＮＯｘ）や硫黄酸化物（ＳＯｘ）に対しても関心が払われるようになっている。国際海事機関（International Maritime Organization：ＩＭＯ）では、ＮＯｘ規制については２０１６年よりＥＣＡ海域（Emission Control Area）においてＴｉｅｒ  ＩＩＩ（三次規制）が発効することが決定しており、また、ＳＯｘ規制については２０２０年または２０２５年より一般海域において使用する燃料の硫黄分を０．５％以下に低減することが検討されている。
【０００４】
船舶の排気ガス中のＳＯｘやＮＯｘの濃度を低減するための技術として、スクラバー技術の応用が注目されている。ＩＭＯ  Ｔｉｅｒ  ＩＩＩに対応可能なＮＯｘ低減技術としては、ＥＧＲ（Exhaust Gas Recirculation）スクラバーが注目されている（特許文献１〜４）。ＳＯｘ排出量を低減するための選択肢としては、燃料の硫黄分を低減すること（低硫黄燃料の使用）のほか、従来の高硫黄燃料を用いつつ排出される硫黄酸化物を排出ガス後処理装置により硫黄分０．５％以下の低硫黄燃料を使用した場合と同等の量とすることが考えられる。低硫黄燃料は高価格であることから、後者の方法が注目されており、排出ガス後処理装置としてスクラバーを用いて脱ＳＯｘ処理を行うことが提案されている（特許文献５）。
【０００５】
スクラバー（洗浄集塵装置）とは、一般に、排ガス中の有害物質（例えば有害ガスや塵埃等。）を吸収液（例えば水等。）の液滴や液膜中に捕集することにより分離する装置を意味する。例えば、ＳＯｘは水酸化ナトリウム水溶液等のアルカリ水溶液に吸収させて分離し、すす等は水相に捕集させたのちに密度差により分離することが考えられる。
【０００６】
スクラバーにおいて有害物質の捕集を効率よく行うためには、ガスと吸収液とを十分に接触させる必要があるため、スクラバーは気液混合の効率を高めるように工夫されている。しかしながら、ディーゼル機関からの排出ガスには未燃燃料や潤滑油ミストのような炭化水素系物質が含まれる。このような炭化水素系物質は水に溶解せず、水と激しく混合撹拌されると乳化することがある。これらの炭化水素系物質と水とが乳化すると、排出ガス中のすす分も乳化物に内包されスカムを形成し、スカムが吸収液上部に蓄積するため、分離が困難になる。
【０００７】
ディーゼル機関に用いられるエンジン油のうち、クロスヘッド型ディーゼル機関用システム油や４サイクルトランクピストン型ディーゼル機関用エンジン油は、遠心清浄機により浄化され繰り返し潤滑に用いられる。遠心清浄機における清浄効果を維持するため、これらの潤滑油には水分離性が求められる。他方、クロスヘッド型ディーゼル機関用シリンダ油は全損式（Once-through）の潤滑油であり、遠心清浄機により清浄されて繰り返し使用されることがなく、また遠心清浄機内で水と接触することもない。したがって、これまではクロスヘッド型ディーゼル機関用シリンダ油に水分離性が要求されることはなかった。
【先行技術文献】
【特許文献】
【０００８】
【特許文献１】特開２０１１−１５７９５９号公報
【特許文献２】特開２０１１−１５７９６０号公報
【特許文献３】特開２０１２−１３７０９２号公報
【特許文献４】特表平８−５１１０７４号公報
【特許文献５】特開２０１１−１８５２７５号公報
【発明の概要】
【発明が解決しようとする課題】
【０００９】
本発明は、水分離性を向上させ、スクラバー内における炭化水素系物質、すす、および水分からのスカムの生成を低減ないし抑制することが可能な、スクラバー搭載クロスヘッド型ディーゼル機関用シリンダ潤滑油組成物を提供することを課題とする。
【課題を解決するための手段】
【００１０】
本発明の第１の態様は、
基油、
（Ａ）金属系清浄剤、および、組成物全量基準で
（Ｂ）抗乳化剤０．０２〜５．０質量％
を含有し、
塩基価が１５〜１２５ｍｇＫＯＨ／ｇであり、
１００℃における動粘度が１０〜３０ｍｍ２／ｓである、スクラバー搭載クロスヘッド型ディーゼル機関用シリンダ潤滑油組成物である。
【００１１】
本発明において、「スクラバー搭載クロスヘッド型ディーゼル機関」とは、シリンダから排出されたガスを少なくとも一つのスクラバーにより浄化する機構を備えたクロスヘッド型ディーゼル機関を意味する。スクラバーは、当該スクラバーを通過したガスがシリンダの吸気側に導かれるＥＧＲスクラバー（例えば特許文献１〜４参照。）であってもよく、当該スクラバーを通過したガスがシリンダの吸気側に導かれない排気ガススクラバー（例えば特許文献５参照。）であってもよい。「クロスヘッド型ディーゼル機関」は、典型的にはクロスヘッド型２ストロークディーゼル機関である。
【００１２】
本発明の第１の態様における好ましい一形態として、（Ｃ）窒素含有無灰分散剤を含有する形態を例示できる。
【００１３】
本発明の第１の態様における好ましい一形態として、（Ｃ）窒素含有無灰分散剤を、潤滑油組成物全量基準で、窒素分として０．２質量％以下含有するか、又は含有しない形態を例示できる。
【００１４】
本発明の第１の態様における好ましい一形態として、（Ｂ）成分が１種以上のポリエーテル化合物である形態を例示できる。かかる形態においては、（Ｂ）成分の数平均分子量は５００以上であることが好ましい。なお本発明において、「ポリエーテル化合物」は、ポリエーテル部位を有する化合物を意味し、ポリエーテル部位は例えばエステル結合等でさらに修飾されていてもよい。
【００１５】
本発明の第１の態様における好ましい一形態として、（Ａ）成分がＣａフェネートである形態を例示できる。
【００１６】
本発明の第２の態様は、
本発明の第１の態様に係るスクラバー搭載クロスヘッド型ディーゼル機関用シリンダ潤滑油組成物を、スクラバーを備えるクロスヘッド型ディーゼル機関のシリンダに供給しながら、該クロスヘッド型ディーゼル機関を運転する工程、および、
シリンダから排出されたガスの少なくとも一部を、スクラバーにおいて浄化する工程
を有する、スクラバー搭載クロスヘッド型ディーゼル機関のシリンダ潤滑方法である。
【００１７】
本発明の第２の態様において、スクラバーにおける浄化の工程は、該スクラバーに導入されたガスを水および／または塩基性水溶液に接触させる工程を含むことが好ましい。
【発明の効果】
【００１８】
本発明の第１の態様によれば、向上した水分離性により、スクラバー内における炭化水素系物質、すす、および水分からのスカムの生成を低減ないし抑制することが可能な、スクラバー搭載クロスヘッド型ディーゼル機関用シリンダ油を提供することができる。
【００１９】
本発明の第２の態様に係るスクラバー搭載クロスヘッド型ディーゼル機関のシリンダ潤滑方法によれば、シリンダから排出されたガスをスクラバーにおいて浄化するにあたり、スクラバー内において炭化水素系物質、すす、および水分からのスカムの生成を低減ないし抑制することが可能である。
【発明を実施するための形態】
【００２０】
以下、本発明について詳述する。なお、特に断らない限り、数値Ａ及びＢについて「Ａ〜Ｂ」という表記は「Ａ以上Ｂ以下」を意味するものとする。かかる表記において数値Ｂのみに単位を付した場合には、当該単位が数値Ａにも適用されるものとする。また「又は」及び「若しくは」の語は、特に断りのない限り論理和を意味するものとする。
【００２１】
＜潤滑油基油＞
本発明における基油としては、鉱油および合成油から選ばれる少なくとも一種を用いることができる。
【００２２】
鉱油としては特に制限はないが、一般的には、原油を常圧蒸留して得られる常圧残油を、脱硫、水素化分解し、所望の粘度グレードになるよう分留したもの、及び、上記常圧残油を溶剤脱ろう若しくは接触脱ろうし、必要に応じてさらに、溶剤抽出および水素化したものを好ましく例示できる。
【００２３】
さらに鉱油としては、常圧蒸留残油をさらに減圧蒸留し、所望の粘度グレードになるよう分留した後、溶剤精製、水素化精製等のプロセスを経て、溶剤脱ろうして製造する基油製造過程の、脱ろう過程において副生する石油系ワックスを水素化異性化した、石油系ワックス異性化潤滑油基油や、フィッシャー・トロプシュプロセス等により製造されるＧＴＬ  ＷＡＸ（ガストゥリキッドワックス）を異性化する手法で製造されるＧＴＬ系ワックス異性化潤滑油基油等も用いることができる。これらのワックス異性化潤滑油基油を製造する際の基本的な製造過程は、水素化分解基油の製造方法と同様である。
【００２４】
また合成油としては特に制限はなく、通常の潤滑油基油として使用される合成油を用いることができる。具体的には、ポリブテン及びその水素化物；１−オクテン、１−デセン、ドデセン等のオリゴマー、またはその混合物のオリゴマー等である、ポリα−オレフィン及びその水素化物；ジトリデシルグルタレート、ジ−２−エチルヘキシルアジペート、ジイソデシルアジペート、ジトリデシルアジペート、ジ−２−エチルヘキシルセバケート等のジエステル；トリメチロールプロパンカプリレート、トリメチロールプロパンペラルゴネート、ペンタエリスリトール−２−エチルヘキサノエート、ペンタエリスリトールペラルゴネート等のポリオールエステル；マレイン酸ジブチル等のジカルボン酸類と炭素数２〜３０のα−オレフィンとの共重合体；アルキルナフタレン、アルキルベンゼン、芳香族エステル等の芳香族系合成油；並びにこれらの混合物等を例示できる。
【００２５】
基油の１００℃における動粘度は、好ましくは１０ｍｍ２／ｓ以上、より好ましくは１４ｍｍ２／ｓ以上であり、また好ましくは２５ｍｍ２／ｓ以下、より好ましくは２０ｍｍ２／ｓ以下である。基油の１００℃における動粘度が上記下限値以上であることにより、潤滑箇所において十分な油膜を形成することができ、良好な潤滑性を得ることができる。また、基油の１００℃における動粘度が上記上限値以下であることにより、良好な低温時の流動性を得ることができる。なお、本発明において、１００℃における動粘度とは、ＡＳＴＭ  Ｄ−４４５に規定される１００℃における動粘度を指す。
【００２６】
基油の好ましい一形態として、１００℃における動粘度が１０〜１４ｍｍ２／ｓである基油と、１００℃における動粘度が２０〜４０ｍｍ２／ｓである基油との混合基油を例示できる。
【００２７】
基油の粘度指数は８５以上であることが好ましく、９０以上であることがより好ましく、９５以上であることが特に好ましい。基油の粘度指数が上記下限値以上であることにより、低温での粘度を低く抑えることができ、良好な始動性を得ることができる。なお、本発明において、粘度指数は、ＪＩＳ  Ｋ２２８３−１９９３に準拠して測定された粘度指数を意味する。
【００２８】
本発明で用いる基油の、基油全量を基準とした飽和分含有率は、好ましくは５０質量％以上、より好ましくは５５質量％以上であり、また好ましくは９０質量％以下、より好ましくは７５質量％以下である。飽和分が上記下限値以上であることにより、良好な酸化安定性を得ることができる。また飽和分が上記上限値以下であることにより、アスファルテンや劣化物の十分な溶解性を得ることができるため、良好な清浄性が得られる。なお、本発明において、飽和分とは、ＡＳＴＭ  Ｄ  ２００７−９３に記載された方法により測定される飽和分を意味する。
【００２９】
＜（Ａ）金属系清浄剤＞
本発明でいう（Ａ）金属系清浄剤（以下、「（Ａ）成分」という。）とは、潤滑油において通常用いられる、いわゆる金属系清浄剤である。（Ａ）成分としては例えば、フェネート系清浄剤、スルホネート系清浄剤、サリシレート系清浄剤を挙げることができる。また、これら金属系清浄剤は単独で又は２種以上を組み合わせて用いることができる。
【００３０】
（Ａ）成分としては、フェネート系清浄剤を特に好ましく用いることができる。
フェネート系清浄剤としては、以下の式（１）で示される構造を有する化合物のアルカリ土類金属塩またはその塩基性塩もしくは過塩基性塩を好ましく例示できる。アルカリ土類金属としては、例えば、マグネシウム、バリウム、カルシウムが挙げられ、これらの中でもマグネシウムまたはカルシウムが好ましく、カルシウムが特に好ましい。なお（Ａ）成分は１種を単独で用いてもよく、２種以上を組み合わせて用いてもよい。
【００３１】
【化１】
0006386348.tif 000002
【００３２】
式（１）中、Ｒ１は炭素数６〜２１の直鎖もしくは分岐鎖、飽和もしくは不飽和のアルキル基又はアルケニル基を表し、ｍは重合度であって１〜１０の整数を表し、Ａはスルフィド（−Ｓ−）基またはメチレン（−ＣＨ２−）基を表し、ｘは１〜３の整数を表す。なおＲ１は２種以上の異なる基の組み合わせであってもよい。
【００３３】
式（１）におけるＲ１の炭素数は、好ましくは９〜１８、より好ましくは９〜１５である。Ｒ１の炭素数が６未満では基油に対する溶解性が劣るおそれがあり、一方、Ｒ１の炭素数が２１を超える場合は製造が難しく、また耐熱性が劣るおそれがある。
【００３４】
式（１）における重合度ｍは、好ましくは１〜４である。重合度ｍがこの範囲内であることにより、耐熱性を高めることができる。
【００３５】
フェネート系清浄剤の塩基価は好ましくは６０ｍｇＫＯＨ／ｇ以上、より好ましくは１００ｍｇＫＯＨ／ｇ以上であり、また好ましくは３５０ｍｇＫＯＨ／ｇ以下、より好ましくは３００ｍｇＫＯＨ／ｇ以下である。塩基価が上記下限値以上であることにより、良好な酸中和性を得ることができ、塩基価が上記上限値以下であることにより良好な清浄性を得ることができる。なお、本発明において塩基価とは過塩素酸法により測定された塩基価を意味する。
【００３６】
スルホネート系清浄剤としては、アルキル芳香族化合物をスルホン化することによって得られるアルキル芳香族スルホン酸のアルカリ土類金属塩またはその塩基性塩もしくは過塩基性塩を好ましく例示できる。アルキル芳香族化合物の重量平均分子量は好ましくは４００〜１５００であり、より好ましくは７００〜１３００である。
アルカリ土類金属としては、例えば、マグネシウム、バリウム、カルシウムが挙げられ、マグネシウム又はカルシウムが好ましく、カルシウムが特に好ましい。アルキル芳香族スルホン酸としては、例えば、いわゆる石油スルホン酸や合成スルホン酸が挙げられる。ここでいう石油スルホン酸としては、鉱油の潤滑油留分のアルキル芳香族化合物をスルホン化したものや、ホワイトオイル製造時に副生する、いわゆるマホガニー酸等が挙げられる。また、合成スルホン酸の一例としては、洗剤の原料となるアルキルベンゼン製造プラントにおける副生成物を回収すること、もしくは、ベンゼンをポリオレフィンでアルキル化することにより得られる、直鎖状または分枝状のアルキル基を有するアルキルベンゼンをスルホン化したものを挙げることができる。合成スルホン酸の他の一例としては、ジノニルナフタレン等のアルキルナフタレンをスルホン化したものを挙げることができる。また、これらアルキル芳香族化合物をスルホン化する際のスルホン化剤としては、特に制限はなく、例えば発煙硫酸や無水硫酸を用いることができる。
【００３７】
スルホネート系清浄剤の塩基価は好ましくは１０ｍｇＫＯＨ／ｇ以上、より好ましくは１５０ｍｇＫＯＨ／ｇ以上、さらに好ましくは２５０ｍｇＫＯＨ／ｇ以上であり、また好ましくは５００ｍｇＫＯＨ／ｇ以下、より好ましくは４５０ｍｇＫＯＨ／ｇ以下である。塩基価が上記下限値以上であることにより良好な酸中和性を得ることができ、また塩基価が上記上限値以下であることにより良好な清浄性を得ることができる。
【００３８】
サリシレート系清浄剤としては、金属サリシレートまたはその塩基性塩もしくは過塩基性塩を好ましく例示できる。ここでいう金属サリシレートとしては、以下の式（２）で表される化合物を挙げることができる。
【００３９】
【化２】
0006386348.tif 000003
【００４０】
上記式（２）中、Ｒ２はそれぞれ独立に炭素数１４〜３０のアルキル基またはアルケニル基を表し、Ｍはアルカリ土類金属を表し、ｎは１又は２を表す。Ｍとしてはカルシウムまたはマグネシウムが好ましく、カルシウムが特に好ましい。ｎとしては１が好ましい。なおｎ＝２であるとき、Ｒ２は異なる基の組み合わせであってもよい。
【００４１】
サリシレート系清浄剤の好ましい一形態としては、上記式（２）においてｎ＝１であるアルカリ土類金属サリシレートまたはその塩基性塩もしくは過塩基性塩を挙げることができる。
【００４２】
アルカリ土類金属サリシレートの製造方法は特に制限されるものではなく、公知のモノアルキルサリシレートの製造方法等を用いることができる。例えば、フェノールを出発原料として、オレフィンを用いてアルキレーションし、次いで炭酸ガス等でカルボキシレーションして得たモノアルキルサリチル酸、あるいは、サリチル酸を出発原料として、当量の上記オレフィンを用いてアルキレーションして得られたモノアルキルサリチル酸等に、アルカリ土類金属の酸化物や水酸化物等の金属塩基を反応させること、又は、これらのモノアルキルサリチル酸等を一旦ナトリウム塩やカリウム塩等のアルカリ金属塩としてからアルカリ土類金属塩と金属交換させること等により、アルカリ土類金属サリシレートを得ることができる。
【００４３】
アルカリ土類金属サリシレートの塩基性塩を得る方法は特に限定されるものではないが、例えば、アルカリ土類金属サリシレートと、過剰のアルカリ土類金属塩やアルカリ土類金属塩基（アルカリ土類金属の水酸化物や酸化物）とを水の存在下で加熱することにより得ることができる。
アルカリ土類金属サリシレートの過塩基性塩を得る方法は特に限定されるものではないが、例えば、炭酸ガスまたはホウ酸もしくはホウ酸塩の存在下でアルカリ土類金属サリシレートをアルカリ土類金属の水酸化物等の塩基と反応させることにより得ることができる。
【００４４】
サリシレート系清浄剤の塩基価は、好ましくは６０ｍｇＫＯＨ／ｇ以上、より好ましくは１００ｍｇＫＯＨ／ｇ以上であり、また好ましくは３５０ｍｇＫＯＨ／ｇ以下、より好ましくは３００ｍｇＫＯＨ／ｇ以下である。塩基価が上記下限値以上であることにより良好な酸中和性を得ることができ、また塩基価が上記上限値以下であることにより良好な清浄性を得ることができる。
【００４５】
（Ａ）成分の金属比は以下の式に従って計算される値であり、好ましくは１以上、より好ましくは３以上であり、また好ましくは５０以下、より好ましくは３０以下である。
（Ａ）成分の金属比＝（Ａ）成分の金属含有量（ｍｏｌ）／（Ａ）成分のせっけん基含有量（ｍｏｌ）
なお（Ａ）成分が２種以上の金属を含む場合においては、「（Ａ）成分の金属含有量（ｍｏｌ）」は（Ａ）成分に含まれる各金属のｍｏｌ量の合計である。また（Ａ）成分が２種以上のせっけん基を含む場合には、「（Ａ）成分のせっけん基含有量（ｍｏｌ）」は（Ａ）成分に含まれる各せっけん基のｍｏｌ量の合計である。
【００４６】
（Ａ）成分としては、Ｃａフェネート系清浄剤、Ｃａスルホネート系清浄剤、およびＣａサリシレート系清浄剤から選ばれる１種以上のカルシウム清浄剤を好ましく用いることができる。
ここでいうＣａフェネート系清浄剤とは、上述したフェネート系清浄剤において、アルカリ土類金属としてカルシウムを用いたものである。すなわち、アルキルフェノールサルファイドのカルシウム塩またはその塩基性塩もしくは過塩基性塩を意味する。
またここでいうＣａスルホネート系清浄剤とは、上述したスルホネート系清浄剤において、アルカリ土類金属としてカルシウムを用いたものである。すなわち、アルキル芳香族スルホン酸のカルシウム塩またはその塩基性塩もしくは過塩基性塩を意味する。
またここでいうＣａサリシレート系清浄剤とは、上述したサリシレート系清浄剤において、金属としてカルシウムを用いたものである。すなわち、カルシウムサリシレートまたはその塩基性塩もしくは過塩基性塩を意味する。
（Ａ）成分としてカルシウム清浄剤を用いる場合、その含有量は、潤滑油組成物全量基準で、カルシウム分として０．５０〜４．３質量％であることが好ましい。
【００４７】
＜（Ｂ）抗乳化剤＞
本発明における（Ｂ）抗乳化剤（以下、「（Ｂ）成分」という。）としては、商業的に入手可能ないわゆる抗乳化剤を特に制限なく用いることができ、中でもポリエーテル化合物を好ましく用いることができる。
【００４８】
本発明において（Ｂ）成分として好ましく利用可能なポリエーテル化合物としては、ポリプロピレングリコールブチルエーテル、ポリプロピレングリコールステアリルエーテル等のポリオキシプロピレングリコールモノアルキルエーテル；ポリオキシエチレンポリオキシプロピレンアルキルエーテル（エチレンオキサイド−プロピレンオキサイド共重合体）；ポリオキシエチレンアルキルエーテル；ポリエチレングリコール脂肪酸エステル；ポリオキシエチレングリセリン脂肪酸エステル；ポリオキシエチレンソルビット脂肪酸エステル；およびポリオキシエチレンソルビタン脂肪酸エステルが挙げられ、これらの中から選ばれる１種以上のポリエーテル化合物を、単独で又は組み合わせて用いることができる。
【００４９】
これらポリエーテル化合物の中でも、ポリプロピレングリコールブチルエーテル、ポリプロピレングリコールステアリルエーテル等のポリオキシプロピレングリコールモノアルキルエーテルや、ポリオキシエチレンポリオキシプロピレンアルキルエーテル（エチレンオキサイド−プロピレンオキサイド共重合体）等の、プロピレンオキサイドユニットを含むポリエーテル化合物が特に好ましい。
【００５０】
（Ｂ）成分の分子量は特に制限されるものではないが、数平均分子量で好ましくは３５０以上、より好ましくは５００以上、さらに好ましくは１０００以上であり、また好ましくは３００００以下、より好ましくは１００００以下、さらに好ましくは５０００以下である。（Ｂ）成分の数平均分子量が上記下限値以上であることにより、良好な抗乳化性を得ることができる。
【００５１】
（Ｂ）成分のＨＬＢ（親水−親油バランス）値は、抗乳化作用（エマルションの不安定化作用）を示す限りにおいて特に制限されるものではないが、好ましくは１３以上であり、より好ましくは１４．５以上である。ＨＬＢ値は定義上必ず２０以下であり、基油との親和性の観点からは好ましくは１９．５以下である。
【００５２】
本発明の潤滑油組成物における（Ｂ）成分の含有量は、潤滑油組成物全量基準で０．０２〜５質量％であり、好ましくは０．０３質量％以上、より好ましくは０．０４質量％以上であり、また好ましくは４質量％以下、より好ましくは３質量％以下である。（Ｂ）成分の含有量が上記下限値以上であることにより、良好な抗乳化性を得ることができる。
【００５３】
＜（Ｃ）窒素含有無灰分散剤＞
本発明の潤滑油組成物は、（Ｃ）窒素含有無灰分散剤（以下、「（Ｃ）成分」という。）を含有し得る。
（Ｃ）成分としては、例えば、以下の（Ｃ−１）〜（Ｃ−３）から選ばれる１種以上の化合物を用いることができる。
（Ｃ−１）アルキル基もしくはアルケニル基を分子中に少なくとも１個有するコハク酸イミドまたはその誘導体（以下、「成分（Ｃ−１）」という。）、
（Ｃ−２）アルキル基もしくはアルケニル基を分子中に少なくとも１個有するベンジルアミンまたはその誘導体（以下、「成分（Ｃ−２）」という。）、
（Ｃ−３）アルキル基もしくはアルケニル基を分子中に少なくとも１個有するポリアミンまたはその誘導体（以下、「成分（Ｃ−３）」という。）。
【００５４】
（Ｃ）成分としては、成分（Ｃ−１）を特に好ましく用いることができる。
成分（Ｃ−１）のうち、アルキル基もしくはアルケニル基を分子中に少なくとも１個有するコハク酸イミドとしては、下記式（３）または式（４）で表される化合物を例示できる。
【００５５】
【化３】
0006386348.tif 000004
【００５６】
式（３）中、Ｒ３は炭素数４０〜４００のアルキル基またはアルケニル基を示し、ｈは１〜５、好ましくは２〜４の整数を示す。Ｒ３の炭素数は好ましくは６０以上であり、また好ましくは３５０以下である。
【００５７】
式（４）中、Ｒ４は、それぞれ独立に炭素数４０〜４００のアルキル基又はアルケニル基を示し、異なる基の組み合わせであってもよい。Ｒ４は特に好ましくはポリブテニル基である。また、ｉは０〜４、好ましくは１〜３の整数を示す。Ｒ４の炭素数は好ましくは６０以上であり、また好ましくは３５０以下である。
【００５８】
式（３）、式（４）におけるＲ３、Ｒ４の炭素数が上記下限値以上であることにより、潤滑油基油に対する良好な溶解性を得ることができる。一方、Ｒ３、Ｒ４の炭素数が上記上限値以下であることにより、本発明の潤滑油組成物の低温流動性を高めることができる。
【００５９】
式（３）及び式（４）におけるアルキル基またはアルケニル基（Ｒ３、Ｒ４）は直鎖状でも分枝状でもよく、好ましくは、例えば、プロピレン、１−ブテン、イソブテン等のオレフィンのオリゴマーや、エチレンとプロピレンとのコオリゴマーから誘導される分枝状アルキル基や分枝状アルケニル基を挙げることができる。なかでも慣用的にポリイソブチレンと呼ばれるイソブテンのオリゴマーから誘導される分枝状アルキル基またはアルケニル基や、ポリブテニル基が最も好ましい。
式（３）及び式（４）におけるアルキル基またはアルケニル基（Ｒ３、Ｒ４）の好適な重量平均分子量は８００〜３５００である。
【００６０】
アルキル基またはアルケニル基を分子中に少なくとも１個有するコハク酸イミドには、ポリアミン鎖の一方の末端のみに無水コハク酸が付加した、式（３）で表される、いわゆるモノタイプのコハク酸イミドと、ポリアミン鎖の両末端に無水コハク酸が付加した、式（４）で表される、いわゆるビスタイプのコハク酸イミドとが包含される。本発明の潤滑油組成物には、モノタイプのコハク酸イミド及びビスタイプのコハク酸イミドのいずれが含まれていてもよく、それらの両方が混合物として含まれていてもよい。
【００６１】
アルキル基またはアルケニル基を分子中に少なくとも１個有するコハク酸イミドの製法は、特に制限されるものではなく、例えば、炭素数４０〜４００のアルキル基又はアルケニル基を有する化合物を無水マレイン酸と１００〜２００℃で反応させて得たアルキルコハク酸又はアルケニルコハク酸を、ポリアミンと反応させることにより得ることができる。ここで、ポリアミンとしては、ジエチレントリアミン、トリエチレンテトラミン、テトラエチレンペンタミン、及びペンタエチレンヘキサミンを例示できる。
【００６２】
成分（Ｃ−２）のうち、アルキル基またはアルケニル基を分子中に少なくとも１個有するベンジルアミンとしては、下記式（５）で表される化合物を例示できる。
【００６３】
【化４】
0006386348.tif 000005
【００６４】
式（５）中、Ｒ５は炭素数４０〜４００のアルキル基またはアルケニル基を表し、ｊは１〜５、好ましくは２〜４の整数を表す。Ｒ５の炭素数は好ましくは６０以上であり、また好ましくは３５０以下である。
【００６５】
成分（Ｃ−２）の製法は特に制限されるものではない。例えば、プロピレンオリゴマー、ポリブテン、又はエチレン−α−オレフィン共重合体等のポリオレフィンを、フェノールと反応させてアルキルフェノールとした後、これにホルムアルデヒドと、ジエチレントリアミン、トリエチレンテトラミン、テトラエチレンペンタミン、ペンタエチレンヘキサミン等のポリアミンとをマンニッヒ反応により反応させる方法が挙げられる。
【００６６】
成分（Ｃ−３）のうちアルキル基またはアルケニル基を分子中に少なくとも１個有するポリアミンとしては、下記式（７）で表される化合物を例示できる。
【００６７】
【化５】
0006386348.tif 000006
【００６８】
式（６）中、Ｒ６は炭素数４０〜４００以下のアルキル基またはアルケニル基を表し、ｋは１〜５、好ましくは２〜４の整数を表す。Ｒ６の炭素数は好ましくは６０以上であり、また好ましくは３５０以下である。
【００６９】
成分（Ｃ−３）の製法は特に制限されるものではない。例えば、プロピレンオリゴマー、ポリブテンまたはエチレン−α−オレフィン共重合体等のポリオレフィンを塩素化した後、これにアンモニアやエチレンジアミン、ジエチレントリアミン、トリエチレンテトラミン、テトラエチレンペンタミン、ペンタエチレンヘキサミン等のポリアミンを反応させる方法が挙げられる。
【００７０】
成分（Ｃ−１）〜成分（Ｃ−３）でいう誘導体としては、例えば、（ｉ）上述のアルキル基またはアルケニル基を分子中に少なくとも１個有するコハク酸イミド、ベンジルアミンまたはポリアミン（以下「上述の含窒素化合物」という。）に、脂肪酸等の炭素数１〜３０のモノカルボン酸、炭素数２〜３０のポリカルボン酸（例えばシュウ酸、フタル酸、トリメリット酸、ピロメリット酸等。）、これらの無水物もしくはエステル化合物、炭素数２〜６のアルキレンオキサイド、又はヒドロキシ（ポリ）オキシアルキレンカーボネートを作用させたことにより、残存するアミノ基および／またはイミノ基の一部又は全部が中和またはアミド化されている、含酸素有機化合物による変性化合物；（ｉｉ）上述の含窒素化合物にホウ酸を作用させることにより、残存するアミノ基および／またはイミノ基の一部又は全部が中和またはアミド化されている、ホウ素変性化合物；（ｉｉｉ）上述の含窒素化合物にリン酸を作用させることにより、残存するアミノ基および／またはイミノ基の一部又は全部が中和またはアミド化されている、リン酸変性化合物；（ｉｖ）上述の含窒素化合物に硫黄化合物を作用させることにより得られる、硫黄変性化合物；及び、（ｖ）上述の含窒素化合物に含酸素有機化合物による変性、ホウ素変性、リン酸変性、硫黄変性から選ばれた２種以上の変性を組み合わせて施すことにより得られる変性化合物が挙げられる。これら（ｉ）〜（ｖ）の誘導体の中でも、アルケニルコハク酸イミドのホウ酸変性化合物、特にビスタイプのアルケニルコハク酸イミドのホウ酸変性化合物を用いることにより、潤滑油組成物の耐熱性を更に向上させることができる。
【００７１】
成分（Ｃ）の分子量には特に制限は無いが、好適な重量平均分子量は１０００〜８０００である。
本発明の潤滑油組成物が（Ｃ）成分を含有する場合の含有量は、潤滑油組成物全量基準で、窒素分として好ましくは０．０２質量％以上であり、より好ましくは０．０４質量％以上、さらに好ましくは０．０７質量％以上であり、また好ましくは０．２質量％以下、より好ましくは０．１２質量％以下である。（Ｃ）成分の含有量が上記下限値以上であることにより、潤滑油組成物の耐コーキング性（耐熱性）を十分に向上させることができる。また（Ｃ）成分の含有量が上記上限値以下であることにより、遠心清浄機におけるきょう雑物の良好な分離性を得ることができ、また水分離性を高めてスクラバー内のスカム生成を抑制することが容易になる。
【００７２】
＜その他の添加剤＞
本発明の潤滑油組成物は、その目的に応じて潤滑油に一般的に使用されている任意の添加剤をさらに含有し得る。そのような添加剤としては、例えば、ジチオリン酸亜鉛、酸化防止剤、消泡剤、流動点降下剤、金属不活性化剤、極圧剤等を挙げることができる。
【００７３】
ジチオリン酸亜鉛（ＺｎＤＴＰ）としては、下記式（５）で表される化合物を好ましく用いることができる。
【００７４】
【化６】
0006386348.tif 000007
【００７５】
式（７）中、Ｒ７は、それぞれ独立に、炭素数１〜２４の炭化水素基を表し、異なる基の組み合わせであってもよい。これら炭素数１〜２４の炭化水素基としては、炭素数１〜２４の直鎖状又は分枝状のアルキル基を好ましく例示できる。また、Ｒ７の炭素数は好ましくは３以上であり、また好ましくは１２以下であり、より好ましくは８以下である。また、Ｒ７としてのアルキル基は、第１級アルキル基、第２級アルキル基、及び第３級アルキル基のいずれであってもよいが、第１級アルキル基もしくは第２級アルキル基またはそれらの混合物が好ましく、第１級アルキル基が最も好ましい。
【００７６】
上記ジチオリン酸亜鉛（ＺｎＤＴＰ）としては、例えば、ジプロピルジチオリン酸亜鉛、ジブチルジチオリン酸亜鉛、ジペンチルジチオリン酸亜鉛、ジヘキシルジチオリン酸亜鉛、ジヘプチルジチオリン酸亜鉛、ジオクチルジチオリン酸亜鉛等の、炭素数３〜１８、好ましくは炭素数３〜１０の直鎖状若しくは分枝状（第１級、第２級又は第３級、好ましくは第１級又は第２級）アルキル基を有するジアルキルジチオリン酸亜鉛；ジフェニルジチオリン酸亜鉛、又はジトリルジチオリン酸亜鉛等の炭素数６〜１８、好ましくは炭素数６〜１０のアリール基若しくはアルキルアリール基を有するジ（（アルキル）アリール）ジチオリン酸亜鉛；および、これらのうち２種以上の混合物を挙げることができる。
【００７７】
上記ジチオリン酸亜鉛の製造方法は、特に限定されるものではない。例えば、Ｒ７に対応するアルキル基を有するアルコールを五硫化二リンと反応させてジチオリン酸を合成し、これを酸化亜鉛で中和することにより合成することができる。
【００７８】
本発明の潤滑油組成物において、ジチオリン酸亜鉛の含有量は、組成物全量基準で、好ましくは０．０３〜１．０質量％、より好ましくは０．０５〜０．５質量％、特に好ましくは０．０１〜０．３質量％である。また、ジチオリン酸亜鉛の含有量は、潤滑油組成物中のリン分が２５〜７００質量ｐｐｍとなる量であることが好ましく、潤滑油組成物中のリン分がより好ましくは４０質量ｐｐｍ以上、さらに好ましくは５０質量ｐｐｍ以上、特に好ましくは８０質量ｐｐｍ以上、また、より好ましくは５００質量ｐｐｍ以下、さらに好ましくは３００質量ｐｐｍ以下、特に好ましくは２５０質量ｐｐｍ以下となる量であることが望ましい。潤滑油組成物中のジチオリン酸亜鉛由来のリン分が２５質量ｐｐｍ以上であれば、必要な酸化安定性を確保でき、また、７００質量ｐｐｍ以下であれば、ジチオリン酸亜鉛の加水分解による塩基価の低下を避けることができる。
【００７９】
酸化防止剤としては、フェノール系酸化防止剤、アミン系酸化防止剤等の無灰酸化防止剤等、および、金属系酸化防止剤を例示できる。これらの中では高温清浄性能の維持性の点で、フェノール系酸化防止剤及び／又はアミン系酸化防止剤を好ましく用いることができる。本発明の潤滑油組成物に酸化防止剤を含有させる場合、その含有量は、組成物全量基準で、好ましくは０．０５質量％以上、より好ましくは０．１質量％以上であり、アミン系酸化防止剤においては０．３質量％以上が特に好ましく、フェノール系酸化防止剤においては０．１５質量％以上が特に好ましい。また、酸化防止剤の含有量の上限は特に限定されるものではないが、組成物全量基準で、好ましくは５質量％以下、より好ましくは２質量％以下である。
【００８０】
消泡剤としては、例えば、シリコーンオイル、アルケニルコハク酸誘導体、ポリヒドロキシ脂肪族アルコールと長鎖脂肪酸とのエステル、メチルサリシレートとｏ−ヒドロキシベンジルアルコール、アルミニウムステアレート、オレイン酸カリウム、Ｎ−ジアルキル−アリルアミンニトロアミノアルカノール、イソアミルオクチルホスフェートの芳香族アミン塩、アルキルアルキレンジホスフェート、チオエーテルの金属誘導体、ジスルフィドの金属誘導体、脂肪族炭化水素のフッ素化合物、トリエチルシラン、ジクロロシラン、アルキルフェニルポリエチレングリコールエーテルスルフィド、フルオロアルキルエーテル等が挙げられる。本発明の潤滑油組成物に消泡剤を含有させる場合、その含有量は、組成物全量基準で、通常０．０００５〜１質量％であり、また、消泡剤がケイ素を含む場合、潤滑油組成物中のＳｉ分が５〜５０質量ｐｐｍとなる量であることが好ましい。
【００８１】
流動点降下剤としては、例えば、使用する潤滑油基油に適合するポリメタクリレート系ポリマー等が使用できる。本発明の潤滑油組成物に流動点降下剤を含有させる場合、その含有量は、組成物全量基準で、通常０．００５〜５質量％である。
【００８２】
金属不活性化剤としては、例えば、イミダゾリン、ピリミジン誘導体、アルキルチアジアゾール、メルカプトベンゾチアゾール、ベンゾトリアゾール又はその誘導体、１，３，４−チアジアゾールポリスルフィド、１，３，４−チアジアゾリル−２，５−ビスジアルキルジチオカーバメート、２−（アルキルジチオ）ベンゾイミダゾール、及びβ−（ｏ−カルボキシベンジルチオ）プロピオンニトリルを挙げることができる。本発明の潤滑油組成物に金属不活性化剤を含有させる場合、その含有量は、組成物全量基準で、通常０．００５〜１質量％である。
【００８３】
極圧剤としては、例えば、硫黄系、リン系、硫黄−リン系の極圧剤等を用いることができる。具体的には、亜リン酸エステル類、チオ亜リン酸エステル類、ジチオ亜リン酸エステル類、トリチオ亜リン酸エステル類、リン酸エステル類、チオリン酸エステル類、ジチオリン酸エステル類、トリチオリン酸エステル類、これらのアミン塩、これらの金属塩、これらの誘導体、ジチオカーバメート、亜鉛ジチオカーバメート、モリブデンジチオカーバメート、ジサルファイド類、ポリサルファイド類、硫化オレフィン類、硫化油脂類等を例示できる。本発明の潤滑油組成物に極圧剤を含有させる場合、その含有量は特に制限されるものではないが、組成物全量基準で、通常０．０１〜５質量％である。
【００８４】
＜潤滑油組成物＞
本発明の潤滑油組成物の塩基価は１５〜１２５ｍｇＫＯＨ／ｇ以上であり、好ましくは２０ｍｇＫＯＨ／ｇ以上、より好ましくは３０ｍｇＫＯＨ／ｇ以上、さらに好ましくは４０ｍｇＫＯＨ／ｇ以上であり、また好ましくは１２０ｍｇＫＯＨ／ｇ以下、より好ましくは１０５ｍｇＫＯＨ／ｇ以下、さらに好ましくは１００ｍｇＫＯＨ／ｇ以下である。
潤滑油組成物の塩基価が１５ｍｇＫＯＨ／ｇ未満では清浄性が不足するおそれがあり、また潤滑油組成物の塩基価が１２５ｍｇＫＯＨ／ｇを超えると過剰な塩基成分がピストンに堆積して油膜形成を阻害し、ボアポリッシュやスカッフィングを引き起こすおそれがあるため好ましくない。
【００８５】
本発明の潤滑油組成物の１００℃における動粘度は１０〜３０ｍｍ２／ｓであり、好ましくは１２ｍｍ２／ｓ以上、より好ましくは１２．５ｍｍ２／ｓ以上、さらに好ましくは１６．３ｍｍ２／ｓ以上、特に好ましくは１８．０ｍｍ２／ｓ以上であり、また好ましくは２７ｍｍ２／ｓ以下、より好ましくは２６．１ｍｍ２／ｓ以下、さらに好ましくは２１．９ｍｍ２／ｓ以下、特に好ましくは２１．０ｍｍ２／ｓ以下である。
潤滑油組成物の１００℃における動粘度が１０ｍｍ２／ｓ未満では油膜形成能が不足し、リングおよびライナが焼きつくおそれがあるため好ましくない。また潤滑油組成物の１００℃における動粘度が３０ｍｍ２／ｓを超える場合には高粘度により始動性が悪化するおそれがあるため好ましくない。
【００８６】
＜シリンダ潤滑方法＞
本発明の第２の態様に係るスクラバー搭載クロスヘッド型ディーゼル機関のシリンダ潤滑方法は、（ｉ）本発明の第１の態様に係る潤滑油組成物を、スクラバーを備えるクロスヘッド型ディーゼル機関のシリンダに供給しながら、該クロスヘッド型ディーゼル機関を運転する工程と、（ｉｉ）シリンダから排出されたガスの少なくとも一部を、スクラバーにおいて浄化する工程とを含む。
【００８７】
スクラバーを備えるクロスヘッド型ディーゼル機関としては、公知のものを特に制限なく採用できる（例えば特許文献１〜５参照）。本発明の第１の態様に係る潤滑油組成物をクロスヘッド型ディーゼル機関のシリンダに供給する方法は特に制限されるものではなく、クロスヘッド型ディーゼル機関における公知のシリンダ潤滑油供給方法を採用できる。スクラバーはＥＧＲスクラバーであってもよく、スクラバーを通過したガスを吸入側に戻さずに環境に放出する態様のスクラバーであってもよく、それらの組み合わせであってもよい。ただし、本発明の第１の態様に係る潤滑油組成物の高められた抗乳化性が有利に作用する点で、スクラバーは、当該スクラバーに導入されたガスを水および／または塩基性水溶液に接触させることによりガスの浄化を行うスクラバーであることが好ましい。塩基性水溶液としては例えば、アルカリ金属水酸化物やアルカリ金属炭酸塩等の塩基が溶解した水溶液のほか、海水を好ましく用いることができる。
【実施例】
【００８８】
以下、実施例及び比較例に基づき、本発明についてさらに具体的に説明する。ただし、本発明はこれらの実施例に限定されるものではない。
【００８９】
＜実施例１〜１１、比較例１〜９＞
表１および２に示す配合処方の潤滑油組成物を調製し、高速乳化試験を実施した。結果を表１および２に示す。なお、表１および２中、基油の量は、基油全量基準での含有量であり、添加剤の量は、組成物全量基準での含有量である。
【００９０】
（市販シリンダ油）
鉱油系基油８１質量％、上記式（１）においてＲ１が炭素数１２のアルキル基又はアルケニル基であるＣａフェネート系清浄剤、炭酸Ｃａスルホネート系清浄剤（炭素数２０、２２および２４の炭化水素基が芳香族六員環に結合）、上記式（４）においてＲ４がポリブテニル基であるポリブテニルコハク酸イミド、アルキルジフェニルアミン（アルキル基の炭素数は４および８）、アルキルフェノール、Ｓｉ化合物を含有。市販シリンダ油のカルシウム含有率は市販シリンダ油全量基準でカルシウム分として２．６０質量％。市販シリンダ油の窒素含有率は市販シリンダ油全量基準で窒素分として０．０３質量％。
【００９１】
（基油）
基油１：溶剤精製基油、５００Ｎ、１００℃動粘度１０．８ｍｍ２／ｓ、飽和分含有率６２質量％
基油２：溶剤精製基油、ブライトストック、１００℃動粘度３１．８ｍｍ２／ｓ、飽和分含有率４６質量％
【００９２】
（金属系清浄剤）
Ｃａフェネート：上記式（１）においてＡがスルフィド基、ｘ＝１〜２、ｍ＝１〜２であるＣａフェネート、塩基価２５０ｍｇＫＯＨ／ｇ、Ｃａ含有量８．９質量％、金属比４．５、硫黄分３．５質量%
Ｃａスルホネート：塩基価４００ｍｇＫＯＨ／ｇ、Ｃａ含有量１５．５質量％、金属比２０
【００９３】
（窒素含有無灰分散剤）
窒素含有無灰分散剤：上記式（４）においてＲ４がポリブテニル基、ｎ＝５であるポリイソブテニルコハク酸イミド、Ｎ含有量１．１質量％、Ｍｗ＝２４９０、ポリブテニル基部分の重量平均分子量Ｍｗ＝１０００
【００９４】
（抗乳化剤）
Ｂ−１：ポリプロピレングリコールステアリルエーテル、Ｍｗ＝１６００
Ｂ−２：ポリプロピレングリコールブチルエーテル（三洋化成工業社製『ニューポールＬＢ−２８５』）、Ｍｎ＝１１７０
Ｂ−３：ポリプロピレングリコールブチルエーテル（三洋化成工業社製『ニューポールＬＢ−１７１５』）、Ｍｎ＝２３９０
Ｂ−４：エチレンオキサイド‐プロピレンオキサイド共重合体、Ｍｗ＝４８４０
ソルビタンモノオレエート：ＨＬＢ４．３
【００９５】
＜評価方法＞
（高速乳化試験）
スクラバー内での撹拌後の油−水分離過程を模したモデル実験である。
１００ｍｌメスシリンダーに水酸化ナトリウム水溶液（ｐＨ＝１２）を４０ｇおよび試料油１０ｇを採取した。ホモジナイザー（KINEMATICA製POLYTRON PT10-35、ジェネレーターシャフトPT36/4K）にメスシリンダーをセットし、１５，０００ｒｐｍにて５分間撹拌した後、ホモジナイザーをメスシリンダー上方に引き上げ５分間静置し、ホモジナイザーに付着した水分、オイルおよび乳化物をメスシリンダーに回収した。試験後のメスシリンダーを室温で１週間静置し、分離したオイル量により、次のように分離性を判定した。
分離オイル量１０ｍｌ：評点３、
分離オイル量７．５ｍｌ以上１０ｍｌ未満：評点２．５、
分離オイル量５ｍｌ以上７．５ｍｌ未満：評点２、
分離オイル量１ｍｌ以上５ｍｌ未満：評点１、
分離オイル量１ｍｌ未満：評点０
とし、評点２以上を合格、評点１以下を不合格とした。
【００９６】
＜評価結果＞
実施例１〜１１の潤滑油組成物は、高速乳化試験において良好な分離性を示した（表１）。（Ｂ）成分を含有しない比較例１及び比較例５〜７の組成物、（Ｂ）成分の含有量が０．０２質量％未満であった比較例２の組成物、並びに、（Ｂ）成分に代えて抗乳化作用を有しない界面活性剤を含有する比較例３〜４の組成物は、高速乳化試験においていずれも評点０（不合格）であり、分離性に劣っていた（表２）。なお、高速乳化試験の評点が０であった比較例１の組成物（すなわち市販シリンダ油そのもの）をシリンダ潤滑油として用いてクロスヘッド型ディーゼル機関を運転し、その排気ガスをスクラバーによって洗浄したところ、スクラバー内でスカムが生成したことを付記する。
【００９７】
【表１】
0006386348.tif 000008
【００９８】
【表２】
0006386348.tif 000009